(57)【特許請求の範囲】
【請求項１】
地面と接する下プレート（１００）と、
前記下プレート（１００）の上方に離間して位置する上プレート（２００）と、
前記下プレート（１００）と前記上プレート（２００）との間の左側部に位置する第１のアクチュエータ（３００）と、
前記下プレート（１００）と前記上プレート（２００）との間の右側部に位置する第２のアクチュエータ（４００）と、
前記下プレート（１００）と前記上プレート（２００）との間の中央部に位置する第３のアクチュエータ（５００）と、
スプライン（６００）と、を含み、
前記スプライン（６００）は、前記下プレート（１００）の縦方向の中心線（Ａ）上に位置するように設けられ、
前記スプライン（６００）の中心から、前記第１のアクチュエータ（３００）の長手方向の仮想線に至る垂線と、前記下プレート（１００）の横方向の中心線（Ｂ）とで形成される所定の第１の角度（α）を有するように設けられ、
前記スプライン（６００）の中心から、前記第２のアクチュエータ（４００）の長手方向の仮想線に至る垂線と、前記下プレート（１００）の横方向の中心線（Ｂ）とで形成される所定の第２の角度（β）を有するように設けられ、
前記第１の角度（α）と前記第２の角度（β）が同じ角度を有するように設けられ、
前記第３のアクチュエータ（５００）のクランクアーム（５５０）の回転軸が、前記縦方向の中心線（Ａ）と同一線上において前記横方向の中心線（Ｂ）に平行となるように設けられ、
前記第１の角度（α）と前記第２の角度（β）は、１０度〜２５度範囲内の角度であることを特徴とする４Ｄ映画館用椅子組立体の駆動装置。
【請求項２】
前記第１、第２、第３のアクチュエータ（３００、４００、５００）は、それぞれ、
前記下プレート（１００）に固定設置される支持ブラケット（３１０、４１０、５１０）と、
回転駆動力を発生させる駆動モータ（３２０、４２０、５２０）と、
前記駆動モータ（３２０、４２０、５２０）の一側に連結され、前記駆動モータ（３２０、４２０、５２０）の回転を減速させる減速機（３３０、４３０、５３０）と、
前記減速機（３３０、４３０、５３０）の一側にボールジョイント（３４１、４４１、５４１）で連結される前記クランクアーム（３４０、４４０、５５０）と、
前記クランクアーム３４０、４４０、５５０）の一端に連結されるプッシュロッド（３５０、４５０、５５０）と、
前記上プレート（２００）の下部に締結される固定ブラケット（３６０、４６０、５６０）と、
前記プッシュロッド（３５０、４５０、５５０）の他端を前記固定ブラケット（３６０、４６０、５６０）に連結するユニバーサルジョイント（３７０、４７０、５７０）とを含むことを特徴とする請求項１に記載の４Ｄ映画館用椅子組立体の駆動装置。
【請求項３】
前記プッシュロッド（３５０、４５０、５５０）は、それぞれ、
本体部（３５１、４５１、５５１）と、
前記本体部（３５１、４５１、５５１）の両端に形成される挿入孔（３５２、４５２、５５２）と、
前記挿入孔（３５２、４５２、５５２）への圧入により締結される軸受（３５３、４５３、５５３）とで形成されることを特徴とする請求項２に記載の４Ｄ映画館用椅子組立体の駆動装置。
【請求項４】
前記スプライン（６００）は、
前記スプライン（６００）の下端が、前記下プレート（１００）にボルト締結され、
前記スプライン（６００）の上端が、前記上プレート（２００）の下部とユニバーサルジョイント（３７０、４７０、５７０）で結合されることを特徴とする請求項２に記載の４Ｄ映画館用椅子組立体の駆動装置。
【請求項５】
前記スプライン（６００）は、前記上プレート（２００）から伝達される荷重を支えるため、前記スプライン（６００）の外周面に設けられる弾性部材をさらに備えることを特徴とする請求項４に記載の４Ｄ映画館用椅子組立体の駆動装置。
【請求項６】
前記弾性部材は、スプリングで構成されることを特徴とする請求項５に記載の４Ｄ映画館用椅子組立体の駆動装置。
【発明の詳細な説明】
【技術分野】
【０００１】
本発明は、下プレートの横方向の中心線と第１の角度を有するように設けられる第１のアクチュエータと、下プレートの横方向の中心線と第２の角度を有するように設けられる第２のアクチュエータとによって、４Ｄ映画館用椅子組立体の駆動時に、回転運動を直線運動に変換させる過程において発生するＹ軸方向の分力に応じて最終的に発生する負荷外乱による振動や騒音を防止することができる、４Ｄ映画館用椅子組立体の駆動装置に関する。
【背景技術】
【０００２】
飛行機や船舶のような装置は、６自由度（６  Ｄｅｇｒｅｅ  ｏｆ  Ｆｒｅｅｄｏｍ）モーションを具現化するようになっている。図１に示されるように、６自由度モーションとは、ｚ軸を中心に回転するヨーイング（ｙａｗｉｎｇ）、ｘ軸を中心にｙ軸が左右に回転するロール（ｒｏｌｌ）、ｙ軸を中心にｚ軸が上下に回転するピッチ（ｐｉｔｃｈ）、ｚ軸上で直線往復運動するヒーブ（ｈｅａｖｅ）、ｙ軸上で直線往復運動するサージ（ｓｕｒｇｅ）、ｘ軸上で直線往復運動するスウェイ（ｓｗａｙ）の、６つの仮想モーションを指称する。
【０００３】
油圧アクチュエータの駆動で自由度モーションを具現化する、上述の駆動装置は、最初は、飛行訓練のための軍事用に開発された。しかし、このような駆動装置は、科学技術とコンピュータグラフィック技術の発達で、軍事用だけでなく、鉄道、船舶のような民間訓練装置へと次第に発展してきた。
【０００４】
さらに、このような駆動装置は、安定性及び費用などの問題で実際訓練が困難な場合、仮想走行を具現し得るようにリアルタイムで周囲画像が変化するシステムを介して、ブルドーザー、クレーンのような特殊建設機械の運転者のために使用されている。
【０００５】
近年、潤沢な生活と余暇時間の増加に応じて、上述の駆動装置は、軍事用又は訓練用だけでなく、遊園地、ゲームシミュレータ、３Ｄ映画館などのエンターテインメント（ｅｎｔｅｒｔａｉｎｍｅｎｔ）のために使用されるようになっている。
【０００６】
従来、一般の映画館のような上映施設では、単に映像物のみを観客に上映しているが、近年、信号の双方向交信が可能なデジタルメディアの拡散及び映画産業の発達で、新形態の映画が上映されるようになり、映像と共に様々なエフェクトを観客に提供している。即ち、従来の一般映画館は、単純に映像を視聴覚的に観覧する場所であったが、最近の映画館は、映像を視覚的に観覧すると共に様々なエフェクトを直接体験し得る場所に発展されている。
【０００７】
一般に、特殊撮影された映像を観覧しながら映像の立体感を感じ得る映画館は、通常、「３Ｄ映画館」と呼ばれているが、これとは別に、視聴覚に加え、触覚、臭覚などを刺激して五感で映像を観覧することができる映画館を「４Ｄ映画館」と指称する。
【０００８】
３Ｄ又は４Ｄ映画館やテーマ映画館において観客に上映される映画の状況に合わせて自由度を具現化するために、映画館の椅子組立体に又は椅子に設けられた駆動装置が使用されている。
【０００９】
上述のような技術的思想が、韓国公開特許公報第１０−２０１１−００３００９７号に示されている。
【００１０】
しかし、従来、３Ｄ又は４Ｄ映画館用椅子組立体の駆動装置は、アクチュエータが何れも下プレートの横方向中心線と平行に設けられており、アクチュエータの駆動時に回転運動を直線運動に変換する過程においてＹ軸方向の分力によってスプラインを中心にモーメントが発生するという問題点があった。
【００１１】
また、駆動装置を構成するアクチュエータの作動時に、前記モーメントによって摩擦力のような負荷外乱が作用し、これにより、椅子組立体の駆動装置の作動時に不規則な騒音や振動が発生し、観客の興味が低下することがあるという問題点があった。
【００１２】
さらに、従来、３Ｄ又は４Ｄ映画館用椅子組立体の駆動装置は、アクチュエータとプレートとがヒンジ結合され、アクチュエータの結合部位に曲げモーメント（ｂｅｎｄｉｎｇ  ｍｏｍｅｎｔ）、ねじれ（ｔｏｒｓｉｏｎ）負荷が生じることがあり、これにより、結合部位に欠陥が発生し、装備の取替え費用が高くなり、さらには、作動中において、結合部位の破損による大きな人身事故が発生するおそれがあるという問題点があった。
【発明の概要】
【発明が解決しようとする課題】
【００１３】
本発明は、上述の問題点を解決するためになされたもので、本発明の目的は、下プレートの横方向の中心線と所定の第１の角度を有するように設けられる第１のアクチュエータと、下プレートの横方向の中心線と所定の第２の角度を有するように設けられる第２のアクチュエータとによって、４Ｄ映画館用椅子組立体の駆動時に回転運動を直線運動に変換する過程において発生するＹ軸方向の分力に応じて最終的に発生する負荷外乱による振動や騒音を防止することで、映画上映情報と一致する生き生きとした駆動を観客に伝達し、プッシュロッドに軸受を圧入して設置されるアクチュエータによって、アクチュエータの製造時間及び製造コストを削減することができる、４Ｄ映画館用椅子組立体駆動装置を提供することにある。
【課題を解決するための手段】
【００１４】
本発明の目的を達成するための本発明に係る４Ｄ映画館用椅子組立体の駆動装置は、地面と接する下プレートと、前記下プレートの上方に離間して位置する上プレートと、前記下プレートと前記上プレートとの間の左側部に位置する第１のアクチュエータと、前記下プレートと前記上プレートとの間の右側部に位置する第２のアクチュエータと、及びスプラインとを含み、前記スプラインは、前記下プレートの縦方向の中心線上に位置するように設けられ、前記第１のアクチュエータは、前記下プレートの横方向の中心線と所定の第１の角度を有するように設けられることを特徴とする。
【００１５】
また、本発明に係る４Ｄ映画館用椅子組立体の駆動装置の好適な他の実施例によれば、前記第２のアクチュエータは、前記下プレートの前記横方向の中心線と所定の第２の角度を有するように設けられる。
【００１６】
また、本発明に係る４Ｄ映画館用椅子組立体の駆動装置の好適な他の実施例によれば、前記第１のアクチュエータと第２のアクチュエータは、前記第１の角度と第２の角度が同じ角度を有するように設けられる。
【００１７】
また、本発明に係る４Ｄ映画館用椅子組立体の駆動装置の好適な他の実施例によれば、前記第１の角度及び前記第２の角度は、１０度〜２５度範囲内の角度であることができる。
【００１８】
また、本発明に係る４Ｄ映画館用椅子組立体の駆動装置の好適な他の実施例によれば、４Ｄ映画館用椅子組立体の駆動装置は、前記下プレートと前記上プレートとの間の中央部に位置する第３のアクチュエータ；をさらに含み、前記第３のアクチュエータは、前記縦方向の中心線と同一線上において前記横方向の中心線に平行となるように設けられる。
【００１９】
また、本発明に係る４Ｄ映画館用椅子組立体の駆動装置の好適な他の実施例によれば、４Ｄ映画館用椅子組立体の駆動装置の前記第１、第２、第３のアクチュエータは、それぞれ、前記下プレートに固定設置される支持ブラケットと、回転駆動力を発生させる駆動モータと、前記駆動モータの一側に連結され、前記駆動モータの回転を減速させる減速機と、前記減速機の一側にボールジョイントで連結されるクランクアームと、前記クランクアームの一端に連結されるプッシュロッドと、前記上プレートの下部に締結される固定ブラケットと、前記プッシュロッドの他端を前記固定ブラケットに連結するユニバーサルジョイントとを含むことができる。
【００２０】
また、本発明に係る４Ｄ映画館用椅子組立体の駆動装置の好適な他の実施例によれば、前記プッシュロッドは、それぞれ、本体部と、前記本体部の両端に形成される挿入孔と、前記挿入孔への圧入により締結される軸受とで形成される。
【００２１】
また、本発明に係る４Ｄ映画館用椅子組立体の駆動装置の好適な他の実施例によれば、４Ｄ映画館用椅子組立体のスプラインは、前記スプラインの下端が前記下プレートにボルト締結され、前記スプラインの上端が前記上プレートの下部とユニバーサルジョイントで結合される。
【００２２】
また、本発明に係る４Ｄ映画館用椅子組立体の駆動装置の好適な他の実施例によれば、前記スプラインは、前記上プレートから伝達される荷重を支えるため、前記スプラインの外周面に設けられる弾性部材をさらに備えることができる。
【００２３】
また、本発明に係る４Ｄ映画館用椅子組立体の駆動装置の好適な他の実施例によれば、前記スプラインの弾性部材は、スプリングから構成される。
【発明の効果】
【００２４】
本発明に係る４Ｄ映画館用椅子組立体の駆動装置によれば、下プレートの横方向の中心線と第１の角度を有するように設けられる第１のアクチュエータと、下プレートの横方向の中心線と所定の第２の角度を有するように設けられる第２のアクチュエータ、又は、下プレートの縦方向の中心と同一線上において横方向の中心線に平行となるように設けられる第３のアクチュエータを備え、また、第１の角度と第２の角度とが同じ角度で形成されることで、アクチュエータの駆動時にスプラインを中心に発生する負荷外乱による振動や騒音を防止する効果が得られる。
【００２５】
また、本発明に係る４Ｄ映画館用椅子組立体の駆動装置によれば、駆動装置の駆動時に上述の負荷外乱による振動や騒音を防止することで、映画上映情報と一致する、生き生きとした駆動を観客に伝達し、これにより、観客の興味を最大化し得る効果が得られる。
【００２６】
さらに、本発明に係る４Ｄ映画館用椅子組立体の駆動装置において、アクチュエータは、プッシュロッドの両端に設けられる軸受が挿入孔に圧入して締結されることで、アクチュエータの製造コスト及び製造時間が削減され、これにより、４Ｄ映画館用椅子組立体の駆動装置の生産性が向上し、かつ、生産コストが削減される効果が得られる。
【図面の簡単な説明】
【００２７】
【図１】６自由度モーションを示す概念図である。
【図２】本発明の好適な一実施例に係る４Ｄ映画館用椅子組立体の駆動装置を示す正面図である。
【図３】図２に示された４Ｄ映画館用椅子組立体の駆動装置において、上プレートが取り外された状態を示す斜視図である。
【図４】図３の平面図を示す。
【図５】本発明の好適な一実施例に係る４Ｄ映画館用椅子組立体の駆動装置に設けられるアクチュエータを示す斜視図である。
【図６】図５に示されたアクチュエータのプッシュロッドを示す斜視図である。
【図７】本発明の好適な一実施例に係る４Ｄ映画館用椅子組立体の駆動装置に設けられるスプラインを示す斜視図である。
【発明を実施するための形態】
【００２８】
本発明の好適な実施例について添付の図面を参照して詳述する。なお、各図面中、構成要素に参照符号を付しているが、同様の構成要素については同様の符号を付することにする。
【００２９】
図２は、本発明の好適な一実施例に係る４Ｄ映画館用椅子組立体の駆動装置１０を示す正面図であり、図３は、図２に示された４Ｄ映画館用椅子組立体の駆動装置１０において、上プレート２００が取り外された状態を示す斜視図である。図４は、図３の平面図である。
【００３０】
図２乃至図４を参照して、本発明の好適な一実施例に係る４Ｄ映画館用椅子組立体の駆動装置１０について説明する。本発明の好適な一実施例に係る４Ｄ映画館用椅子組立体の駆動装置１０は、下プレート１００、上プレート２００、第１のアクチュエータ３００、第２のアクチュエータ、及びスプライン６００を含むことができる。
【００３１】
下プレート１００は、地面と接して設けられている。このような下プレート１００は、４Ｄ映画館の底面の構造物に、ボルト、アンカーボルトのような公知の締結手段で締結される。
【００３２】
上プレート２００は、下プレート１００の上方に離間して位置されている。図示していないが、このような上プレート２００に椅子を取り付けることができる。
【００３３】
第１のアクチュエータ３００は、下プレート１００と上プレート２００との間の左側部（図４中、左側）に下プレート１００の横方向の中心線Ｂと所定の第１の角度αを有するように設けられる。第１のアクチュエータ３００は、主に上プレート２００の左側部を駆動させる。
【００３４】
第２のアクチュエータ４００は、下プレート１００と上プレート２００との間の右側部（図４中、右側）に設けられる。本発明の好適な他の一実施例によれば、第２のアクチュエータ４００は、下プレート１００の横方向の中心線Ｂと所定の第２の角度βを有するように設けられる。第２のアクチュエータ４００は、主に上プレート２００の右側部を駆動させる。
【００３５】
図２乃至図４に示されるように、本発明の好適な他の一実施例によれば、４Ｄ映画館用椅子組立体の駆動装置１０は、第３のアクチュエータ５００をさらに含むことができる。
【００３６】
第３のアクチュエータ５００は、縦方向の中心線Ａと同一線上において前記横方向の中心線Ｂに平行となるように下プレート１００と上プレート２００との間の中央部に設けられる。第３のアクチュエータ５００は、主に上プレート２００の中央部を駆動させる。
【００３７】
スプライン６００は、下プレート１００と上プレート２００との間に設けられる。即ち、スプライン６００は、下プレート１００の縦方向の中心線Ａ上に位置するように、第１のアクチュエータ３００と第２のアクチュエータ４００との間に設けることができる。
【００３８】
第１のアクチュエータ３００、第２のアクチュエータ４００、及び第３のアクチュエータ５００は、特に限定されないが、全体として三角形状に位置付けられる。即ち、図２乃至図４に示されるように、第３のアクチュエータ５００が三角形の頂点に位置し、第１のアクチュエータ３００と第２のアクチュエータ４００とは、三角形の底辺上に位置するようになる。
【００３９】
図示していないが、本発明の一実施例に係る４Ｄ映画館用椅子組立体の駆動装置１０は、必要に応じて、第４のアクチュエータをさらに含むことができる。前記第４のアクチュエータは、縦方向の中心線Ａと同一線上において前記横方向の中心線Ｂに平行となり、かつ前記第３のアクチュエータ５００と向かい合うように、下プレート１００と上プレート２００との間の中央部に設けられる。第４のアクチュエータは、主に上プレート２００の中央部を駆動させる。
【００４０】
図２乃至図４に示されるように、本発明の好適な他の一実施例によれば、第１のアクチュエータ３００と第２のアクチュエータ４００は、第１の角度αと第２の角度βが同じ角度を有するように設けられる。
【００４１】
また、本発明の好適な他の一実施例によれば、前記第１の角度α及び第２の角度βは、１０度〜２５度の範囲内の角度を有するように形成される。１０度未満であるか、２５度を上回る場合は、Ｙ軸方向の分力が大きくなり、これにより、スプラインを中心に、より大きなモーメントが発生し、このようなモーメントによって、より大きな負荷外乱が発生することがあるためである。
【００４２】
本発明の最も好適な一実施例によれば、下プレート１００の横方向の中心線Ｂと第１のアクチュエータ３００とがなす第１の角度αと、下プレート１００の横方向の中心線Ｂと第２のアクチュエータ４００とがなす第２の角度βは、１５度になるように、第１のアクチュエータ３００と第２のアクチュエータ４００を取り付けることができる。即ち、第１の角度αと第２の角度βとが同じ角度を有し、このような第１の角度αと第２の角度βが１５度になるように第１のアクチュエータ３００と第２のアクチュエータ４００を取り付けることができる。
【００４３】
上述の場合は、第１のアクチュエータ３００及び第２のアクチュエータ４００のプッシュロッド３５０、４５０の回転運動から直線運動への変化過程において発生するＹ軸方向の分力によって、スプラインの中心から発生するモーメントを最小にし、モーメントにより発生する負荷外乱を極力抑制することが可能となる。負荷外乱が極力抑制されることで、椅子組立体の駆動装置１００から発生する不規則な騒音や振動が最小になり、映画上映情報と一致する生き生きとした駆動を観客に伝達することが可能となる。
【００４４】
図５は、本発明の好適な一実施例に係る４Ｄ映画館用椅子組立体の駆動装置１０に設けられるアクチュエータ３００、４００、５００を示す斜視図である。図５に示されるように、本発明の好適な一実施例に係る４Ｄ映画館用椅子組立体の駆動装置１０に設けられるアクチュエータ３００、４００、５００は、それぞれ支持ブラケット３１０、４１０、５１０、駆動モータ３２０、４２０、５２０、減速機３３０、４３０、５３０、クランクアーム３４０、４４０、５４０、プッシュロッド３５０、４５０、５５０、固定ブラケット３６０、４６０、５６０、及びユニバーサルジョイント３７０、４７０、５７０を含むことができる。
【００４５】
前記支持ブラケット３１０、４１０、５１０は、下プレート１００に固定設置することができ、前記支持ブラケット３１０、４１０、５１０は、ボルト締結又は溶接により下プレート１００に固定設置することができる。
【００４６】
駆動モータ３２０、４２０、５２０は、回転駆動力が発生させる。このような駆動モータは、特に限定されないが、サーボモータ（ｓｅｒｖｏ  ｍｏｔｏｒ）で形成することができる。
【００４７】
減速機３３０、４３０、５３０は、駆動モータ３２０、４２０、５２０の一側に連結され、駆動モータ３２０、４２０、５２０の回転速度を、映画上映情報に合わせて調節することができる。
【００４８】
クランクアーム３４０、４４０、５４０が、減速機３３０、４３０、５３０の一側にボールジョイント３４１、４４１、５４１でそれぞれ連結される。
【００４９】
プッシュロッド３５０、４５０、５５０が、クランクアーム３４０、４４０、５４０の一端に連結される。
【００５０】
固定ブラケット３６０、４６０、５６０が上プレート２００の下部に締結される。固定ブラケット３６０、４６０、５６０は、特に限定されないが、ボルト締結又は溶接により上プレート２００の下部に結合される。
【００５１】
ユニバーサルジョイント３７０、４７０、５７０がプッシュロッド３５０、４５０、５５０の他端を固定ブラケット３６０、４６０、５６０に連結する。それぞれのプッシュロッド３５０、４５０、５５０と、上プレート２００とが、ユニバーサルジョイント３７０、４７０、５７０で締結されることで、連結部位への曲げ応力や軸荷重を最小にして、アクチュエータの寿命が増大し、かつ、安定性が向上する。
【００５２】
図６は、図５に示されたアクチュエータ３００、４００、５００のプッシュロッド３５０、４５０、５５０を示す斜視図である。図６に示されるように、本発明の好適な一実施例に係る４Ｄ映画館用椅子組立体の駆動装置１０に設けられるアクチュエータ３００、４００、５００のプッシュロッド３５０、４５０、５５０は、プッシュロッドのボディを形成する本体部３５１、４５１、５５１を含むことができる。
【００５３】
本体部３５１、４５１、５５１の両端には、挿入孔３５２、４５２、５５２が形成される。
【００５４】
軸受３５３、４５３、５５３は、本体部の両端に形成された挿入孔３５２、４５２、５５２に圧入により締結される。このような軸受３５３、４５３、５５３は、特に限定されないが、すべり軸受であることが好ましく、軸受３５３、４５３、５５３を、プレスにより挿入孔３５２、４５２、５５２に圧入して締結することができる。
【００５５】
駆動モータ３２０、４２０、５２０の回転駆動力は、減速機３３０、４３０、５３０を通じて映画上映状態に適した回転に変更される。このような回転駆動力は、ボールジョイント３４１、４４１、５４１でそれぞれ連結されたクランクアーム３４０、４４０、５４０を回転させながら直線運動に変換することができる。即ち、クランクアーム３４０、４４０、５４０に一端が締結されたプッシュロッド３５０、４５０、５５０は、回転しながら直線運動に変換し、このような変換された力を、上プレート２００に伝達するようになる。
【００５６】
すべり軸受３５３、４５３、５３３が、挿入孔３５２、４５２、５５２に、圧入により締結されることで、アクチュエータ３００、４００、５００のプッシュロッド３５０、４５０、５５０の製造時間及び製造コストが削減され、これにより、アクチュエータの製造時間及び製造コストが削減される。
【００５７】
図７は、本発明の好適な一実施例に係る４Ｄ映画館用椅子組立体の駆動装置に設けられるスプライン６００を示す斜視図である。図７に示されるように、本発明の好適な一実施例に係る４Ｄ映画館用椅子組立体の駆動装置に設けられるスプライン６００は、スプライン６００の下端が下プレート１００にボルト６１０で締結され、スプライン６００の上端は、上プレート２００の下部とユニバーサルジョイント６２０で結合される。
【００５８】
また、図７に示されるように、本発明の好適な他の一実施例に係る４Ｄ映画館用椅子組立体の駆動装置に設けられるスプライン６００は、上プレート２００から伝達される荷重を支えるため、スプライン６００の外周面に設けられる弾性部材を備えることができ、このような弾性部材としては、好ましくは、スプリングで構成される。
【００５９】
上述のスプライン６００では、本発明に係る４Ｄ映画館用椅子組立体の駆動装置１０を、映画の内容に応じて精度良く制御することができ、第１、第２、第３のアクチュエータ３００、４００、５００に作用する荷重を支えることで、装置の安定性を増大することができる。
【００６０】
本発明は、図示の変更例と上述の実施例に限定されるものではなく、添付の請求範囲の範疇に属する他の実施例に拡張して実施することができる。
【図１】
0006367338.tif 000002
【図２】
0006367338.tif 000003
【図３】
0006367338.tif 000004
【図４】
0006367338.tif 000005
【図５】
0006367338.tif 000006
【図６】
0006367338.tif 000007
【図７】
0006367338.tif 000008